(57)【要約】      （修正有）【課題】ゴム筒を軽量化させることができて、駆動シリンダーの駆動に必要な電力消耗量を減少させるとともに、脱水過程でゴム筒のパンクによる故障発生を防止できる連続式洗濯機のプレス脱水用ゴム筒を提供する。【解決手段】複数の洗濯筒から構成される連続式洗濯機の後段側脱水筒に装着されて、脱水槽内の洗濯物をプレス加圧するために駆動シリンダー２０によって昇降可能に構成される連続式洗濯機のプレス脱水用ゴム筒３０において、脱水用ゴム筒３０には耐久性補強のための充填剤として、内部が中空状を成す複数の高弾力のハニカム充填剤５０が流出防止蓋３２によって離脱が防止される状態で保管される。【選択図】図３
0003226569.tif 000002
【実用新案登録請求の範囲】
【請求項１】
複数の洗濯筒から構成される連続式洗濯機の後段側脱水筒に装着されて、脱水槽（１０）内の洗濯物をプレス加圧するために駆動シリンダー（２０）によって昇降可能に構成される連続式洗濯機のプレス脱水用ゴム筒（３０）において、
前記の脱水用ゴム筒（３０）には耐久性補強のための充填剤として、内部が中空状を成す複数の高弾力のハニカム充填剤（５０）が流出防止蓋（３２）によって離脱が防止される状態で保管される
ことを特徴とする連続式洗濯機のプレス脱水用ゴム筒。
【請求項２】
複数の洗濯筒から構成される連続式洗濯機の後段側脱水筒に装着されて、脱水槽（１０）内の洗濯物をプレス加圧するために駆動シリンダー（２０）によって昇降可能に構成される連続式洗濯機のプレス脱水用ゴム筒（３０）において、
前記の脱水用ゴム筒（３０）には耐久性補強のための充填剤として、内部が中空状を成す複数の高弾力の四角形充填剤（６０）が流出防止蓋（３２）によって離脱が防止される状態で保管される
ことを特徴とする連続式洗濯機のプレス脱水用ゴム筒。
【請求項３】
複数の洗濯筒から構成される連続式洗濯機の後段側脱水筒に装着されて、脱水槽（１０）内の洗濯物をプレス加圧するために駆動シリンダー（２０）によって昇降可能に構成される連続式洗濯機のプレス脱水用ゴム筒（３０）において、
前記の脱水用ゴム筒（３０）には耐久性補強のための充填剤として、内部が中空状を成す複数の高弾力円筒状充填剤（７０）が流出防止蓋（３２）によって離脱が防止される状態で保管される
ことを特徴とする連続式洗濯機のプレス脱水用ゴム筒。
【考案の詳細な説明】
【技術分野】
【０００１】
本考案は連続式洗濯機のプレス脱水用ゴム筒に関することで、もっと詳しくは、連続式洗濯機で洗濯の完了された洗濯物を脱水するために、プレス加圧が行われる連続式洗濯機のプレス脱水用ゴム筒に関することである。
【背景技術】
【０００２】
一般的に連続式洗濯機は、図１で表すように、約８〜１０個の筒からなって、一側より洗濯物がローディングコンベヤー（１）を通じ連続式で投入されると、水濡れ筒（２）で洗濯用水に十分濡らされた状態で、洗剤の投入された各洗濯筒（３）を順次的に移動する過程で洗濯が行われて、洗濯が完了すると、リンス筒（４）と濯ぎシャワー筒（５）を経て、最終的に脱水筒（６）で脱水が行われるようになる。
【０００３】
この時、水濡れ、洗濯、濯ぎが行われるそれぞれの筒の内部構造は、円筒状の筒内壁面にリブ（Ｒｉｂ）が付いて、筒が回転すると、リブに洗濯物が筒の上部へ上がるようになって、上より洗濯物が落ちながら落下する力によって洗濯が行われるようになる。
【０００４】
この時、洗濯水は洗濯物の移動方向と反対方向に移動しながら、徐々に清い水を利用した洗濯が行われるようになる。
【０００５】
一方、図２は脱水筒（６）の概略構造を図示したものとして、脱水用ゴム筒（６ａ）が駆動シリンダー（６ｂ）によって下向きにプレス加圧が行われることで、脱水槽（６ｃ）内に移動された洗濯物を加圧させることで脱水が行われるようになる。
【０００６】
しかし、従来の脱水用ゴム筒（６ａ）は内部の充填剤で一定量の水（Ｗ）が充填されようになっているが、これによって脱水用ゴム筒（６ａ）の重量が増加されたため、シリンダーの駆動に必要な電力消耗量が増加する問題点があった。
【０００７】
また、使用過程で内部圧力の増加によって脱水用ゴム筒（６ａ）でパンクが発生されてしまうと、高価の入れ替え費用が発生するため、連続式洗濯機の保持管理が大変になるとの問題点があった。
【０００８】
このような問題点を解決するために、特許文献１にて「連続式洗濯機のプレス脱水用ゴム筒」を開示した。
【０００９】
特許文献１による連続式洗濯機のプレス脱水用ゴム筒は、複数の洗濯筒から構成される連続式洗濯機の後段側脱水筒に装着されて、脱水槽内の洗濯物をプレス加圧するために、駆動シリンダーによって、昇降が可能に構成される連続式洗濯機のプレス脱水用ゴム筒において、前記の脱水用ゴム筒には耐久性補強のための充填剤として、内部が中空状を成す複数の高弾力ゴムボールが流出防止蓋によって離脱が防止される状態で保管されて、前記の脱水用ゴム筒内には離脱防止蓋による密閉状態を保持する中で内部の密閉力が増加して、ゴムボールの弾性力の低下を防止して、ゴムボールの変形あるいは酸化発生を防止するようにアルゴンガス（ｇ）が充填される。
【先行技術文献】
【特許文献】
【００１０】
【特許文献１】大韓民国実用新案登録番号第２０−０４８８２６２号（登録日付：２０１８年１２月２８日）
【特許文献２】大韓民国特許公開番号第１０−２００８−００２０４７３号
【特許文献３】大韓民国実用新案公開番号第２０−２００１−０００１１４２号
【考案の概要】
【考案が解決しようとする課題】
【００１１】
本考案の目的は、前記のような問題点を解決するため、脱水用ゴム筒の内部に充填剤を構成させることで、軽量化によるシリンダー駆動電力の消耗量を減少させるとともに、故障発生を最少化する連続式洗濯機のプレス脱水用ゴム筒を提供することである。
【００１２】
本考案の他の目的は、脱水筒の内部を充填する充填剤を様々な形象及び多様な形の充填剤を使えるようにする連続式洗濯機のプレス脱水用ゴム筒を提供することである。
【課題を解決するための手段】
【００１３】
前記のような目的を達成するために、本考案による連続式洗濯機のプレス脱水用ゴム筒は、複数の洗濯筒から構成される連続式洗濯機の後段側脱水筒に装着して、脱水槽内の洗濯物をプレス加圧するために駆動シリンダーによって昇降可能に構成する連続式洗濯機のプレス脱水用ゴム筒において、
前記の脱水用ゴム筒には、耐久性の補強のための充填剤として、内部が中空状を成す複数の高弾力ハニカム充填剤が流出防止蓋によって離脱が防止される状態で保管されることを特徴とする。
【００１４】
また、前記のような目的を達成するために、本考案による連続式洗濯機のプレス脱水用ゴム筒は、複数の洗濯筒から構成される連続式洗濯機の後段側脱水筒に装着されて、脱水槽内の洗濯物をプレス加圧するために駆動シリンダーによって昇降可能に構成される連続式洗濯機のプレス脱水用ゴム筒において、
前記脱水用ゴム筒には、耐久性補強のための充填剤として内部が中空状を成す複数の高弾力の四角形充填剤が流出防止蓋によって離脱が防止される状態で保管されることを特徴とする。
【００１５】
また、前記のような目的を達成するために、本考案による連続式洗濯機のプレス脱水用ゴム筒は、複数の洗濯筒から構成される連続式洗濯機の後段側脱水筒に装着されて、脱水槽内の洗濯物をプレス加圧するために駆動シリンダーによって昇降可能に構成する連続式洗濯機のプレス脱水用ゴム筒において、
前記の脱水用ゴム筒には、耐久性補強のための充填剤として、内部が中空状を成す複数の高弾力の円筒状充填剤が流出防止蓋によって離脱が防止される状態で保管されることを特徴とする。
【考案の効果】
【００１６】
前記のように、本考案による連続式洗濯機のプレス脱水用ゴム筒によると、既存の水の代わりをして脱水用ゴム筒の内部に高弾力の充填剤が使われるので、ゴム筒を軽量化させることができるし、駆動シリンダーの駆動に必要な電力消耗量を減少させるとともに、脱水過程でゴム筒のパンクによる故障発生を防止できるという効果が得られる。
【００１７】
また、本考案による連続式洗濯機のプレス脱水用ゴム筒によると、充填剤で水を使わなくなるので、別途の水供給装置が必要なくなって、洗濯物の種類によって脱水用ゴム筒内に多様な形態の充填剤を使えるし、ハニカム充填剤、四角形充填剤、円筒状充填剤を相互混合して満たすことで、脱水による水を節減できるという効果が得られる。
【図面の簡単な説明】
【００１８】
【図１】一般的な連続式洗濯機の概略動作構造図である。
【図２】従来技術での脱水筒構造図である。
【図３】本考案の望ましい第１実施例による連続式洗濯機のプレス脱水用ゴム筒に充填剤が設置された状態を図示した一部切り欠き立体図である。
【図４】本考案の望ましい第２実施例による連続式洗濯機のプレス脱水用ゴム筒に充填剤が設置された状態を図示した一部切り欠き立体図である。
【図５】本考案の望ましい第３実施例による連続式洗濯機のプレス脱水用ゴム筒に充填剤が設置された状態を図示した一部切り欠き立体図である。
【考案を実施するための形態】
【００１９】
以下、本考案の望ましい実施例による連続式洗濯機のプレス脱水用ゴム筒について、添付図面を参照して細かく説明する。
【００２０】
＜第１実施例＞
本考案の望ましい第１実施例による連続式洗濯機のプレス脱水用ゴム筒は、複数の洗濯筒から構成される連続式洗濯機の後段側脱水筒に装着されて、脱水槽（１０）内の洗濯物をプレス加圧するために、駆動シリンダー（２０）によって、昇降可能に構成される連続式洗濯機のプレス脱水用ゴム筒（３０）において、前記の脱水用ゴム筒（３０）には、耐久性補強のための充填剤として内部が中空状を成す複数の高弾力のハニカム充填剤（５０）が流出防止蓋（３２）によって離脱が防止される状態で保管されて、前記の脱水用ゴム筒（３０）内には離脱防止蓋（３２）による密閉状態を成す中で内部密閉力が増加されて、ハニカム充填剤（５０）の弾性力の低下を防止して、ハニカム充填剤（５０）の変形あるいは酸化発生を防止するようにアルゴンガス、水、空気のいずれかが充填されることを含む。
【００２１】
図３は本考案の望ましい第１実施例による連続式洗濯機のプレス脱水用ゴム筒に充填剤が設置された状態を図示した一部切り欠き立体図である。
【００２２】
図３に図示されているように、プレス脱水用ゴム筒（３０）は複数の洗濯筒から構成される連続式洗濯機の後段側脱水筒に装着されて、脱水槽（１０）内の洗濯物をプレス加圧するために、油圧または空圧に駆動される駆動シリンダー（２０）によって昇降可能に構成される。
【００２３】
特に、本考案では脱水用ゴム筒（３０）の内部に充填される充填剤として、複数の高弾の力ハニカム充填剤（５０）が流出防止蓋（３２）によって離脱が防止される状態で保管されるようになる。
【００２４】
この時、充填剤で使用されるハニカム充填剤（５０）は、内部の空いた中空状のハニカム（六角形）からなることができる。
【００２５】
一方、前記のハニカム充填剤（５０）は、脱水用ゴム筒（３０）の内部に水平または垂直方向に自由に設置できる。
【００２６】
即ち、脱水用ゴム筒（３０）の内部には、ハニカム充填剤（５０）を垂直または水平で設置するによって、駆動シリンダー（２０）の下降動作時に、脱水用ゴム筒（３０）の強性が十分維持されるようにする。
【００２７】
一方、水平方向に設置されるハニカム充填剤（５０）は、決まった高さを維持するように複数に積層されるように設置できる。これはハニカム充填剤（５０）を決まった高さに設置することで、脱水用ゴム筒（３０）内に満たされる水の量を節減できるようになる。
【００２８】
本考案の第１実施例による脱水用ゴム筒（３０）は、軽量化された構造を成しているため、昇降駆動がより効率的に行われる中で、洗濯物に対するプレス加圧脱水動作が行われるようにする。
【００２９】
即ち、この時は脱水槽（１０）内に洗濯物が投入された状態で駆動シリンダー（２０）の動作によって脱水用ゴム筒（３０）が下降しながら洗濯物を加圧させることで脱水が進行されられることになる。
【００３０】
このような脱水のためのプレス加圧過程で、本考案の脱水用ゴム筒（３０）は内部充填剤でハニカム充填剤（５０）が使われることで、既存の水を充填剤で使う技術に比べて、構造物の軽量化ができるようにする。
【００３１】
従って、脱水用ゴム筒（３０）の軽量化ができるようになって、シリンダーの駆動に必要な電力消耗量を減少させるとともに、脱水過程でゴム筒のパンクによる故障発生が防止できるようになる効果を持つ。
【００３２】
また、充填剤として水を使わなくなるので、別途の水供給装置が必要なくなって、既存の水供給装置によって洗濯物がかかる問題が改善される利点を持つことになる。
【００３３】
＜第２実施例＞
図４は本考案の望ましい第２実施例による連続式洗濯機のプレス脱水用ゴム筒に充填剤が設置された状態を図示した一部切り欠き立体図である。
【００３４】
本考案の第２実施例による連続式洗濯機のプレス脱水用ゴム筒は、前述した第１実施例と同じ構成である脱水用ゴム筒（３０）、及び駆動シリンダー（２０）に対して同じ名称と同じ図面符号を使って説明する事にして、よって重複する説明は省略する事にする。
【００３５】
本考案の望ましい第２実施例による連続式洗濯機のプレス脱水用ゴム筒は、複数の洗濯筒から構成される連続式洗濯機の後段側脱水筒に装着されて、脱水槽（１０）内の洗濯物をプレス加圧するために駆動シリンダー（２０）によって昇降可能に構成される連続式洗濯機のプレス脱水用ゴム筒（３０）において、前記の脱水用ゴム筒（３０）には耐久性の補強のための充填剤として内部が中空状を成す複数の高弾力の四角形充填剤（６０）が流出防止蓋（３２）によって離脱が防止される状態で保管されて、
前記の脱水用ゴム筒（３０）内には、離脱防止蓋（３２）による密閉状態を成す中で内部密閉力が増加されて、四角形充填剤（６０）の弾性力の低下を防止して、四角形充填剤（６０）の変形あるいは酸化発生を防止するように、アルゴンガス、水、空気のいずれかが充填される。
【００３６】
本考案の第２実施例による連続式洗濯機のプレス脱水用ゴム筒は、脱水用ゴム筒（３０）に四角形充填剤（６０）を設置する。
【００３７】
図４に図示されているように、前記四角形充填剤（６０）は脱水用ゴム筒（３０）の内部に垂直方向に設置されることは勿論、水平方向に設置できる。
【００３８】
前記の四角形充填剤（６０）は、正四角形、直四角形、菱模型、卵円形など多様な形象に形成できることは勿論である。
【００３９】
＜第３実施例＞
図５は本考案の望ましい第３実施例による連続式洗濯機のプレス脱水用ゴム筒に充填剤が設置された状態を図示した一部切り欠き立体図である。
【００４０】
本考案の第３実施例による連続式洗濯機のプレス脱水用ゴム筒は、前述した第１実施例と同じ構成である脱水用ゴム筒（３０）、及び駆動シリンダー（２０）に対して同じ名称と同じ図面符号を使って説明する事にして、よって重複する説明は省略する事にする。
【００４１】
本考案の望ましい第３実施例による連続式洗濯機のプレス脱水用ゴム筒は、複数の洗濯筒から構成される連続式洗濯機の後段側脱水筒に装着されて、脱水槽（１０）内の洗濯物をプレス加圧するために駆動シリンダー（２０）によって昇降可能に構成される連続式洗濯機のプレス脱水用ゴム筒（３０）において、前記の脱水用ゴム筒（３０）には耐久性補強のための充填剤として内部が中空状を成す複数の高弾力の円筒状充填剤（７０）が流出防止蓋（３２）によって離脱が防止される状態で保管されて、前記の脱水用ゴム筒（３０）内には離脱防止蓋（３２）による密閉状態を成す中で内部密閉力が増加して、円筒状充填剤（７０）の弾性力の低下を防止して、円筒状充填剤（７０）の変形あるいは酸化発生を防止するように、アルゴンガス、水、空気のいずれかが充填される。
【００４２】
前記の円筒状充填剤（７０）は、前記の脱水用ゴム筒（３０）に垂直または水平で設置することができて、前記の円筒状充填剤（７０）は前記の脱水用ゴム筒（３０）の内部を充填するように、前記の脱水用ゴム筒（３０）の長さと同じ長さで形成される第１円筒状充填剤（７１）と、前記の脱水用ゴム筒（３０）の長さより短い長さで形成される第２円筒状充填剤（７２）からなることができる。
【００４３】
本考案の第３実施例による連続式洗濯機のプレス脱水用ゴム筒は、脱水用ゴム筒（３０）を円筒状充填剤（７０）で満たすようになって、前記の脱水用ゴム筒（３０）には密閉空筒を維持するようにアルゴンガスが満たされるだけでなく、水または空気（またはエア）が満たされることができる。
【００４４】
このようなアルゴンガス、水、エアは、ハニカム充填剤（５０）、四角形充填剤（６０）及び円筒状充填剤（７０）の変形あるいは酸化発生を防止して、認定的な耐久性が維持されるようにする。
【００４５】
以上、本考案者による考案を前記の実施例によって具体的に説明したが、本考案は前記の実施例に限定されるのではなく、その要旨を離脱しない範囲で様々に変更可能なことは勿論である。
【符号の説明】
【００４６】
１０：脱水槽
２０：駆動シリンダー
３０：脱水用ゴム筒
３２：流出防止蓋
５０：ハニカム充填剤
６０：四角形充填剤
７０：円筒状充填剤
【図１】
0003226569.tif 000003
【図２】
0003226569.tif 000004
【図３】
0003226569.tif 000005
【図４】
0003226569.tif 000006
【図５】
0003226569.tif 000007